(57)【要約】      （修正有）【課題】フィットネス活動中に個体のパフォーマンスをモニタリングするための装置、システムおよび方法を提供する。【解決手段】フィットネス活動に従事する参加者のパフォーマンスをモニタリングする方法は、フィットネス活動中に参加者１００が使用するポータブルフィットネス装置１０２においてＧＰＳ信号２２を受信する工程と、受信されたＧＰＳ信号２２に基づいて参加者１００のパフォーマンスデータを決定する工程と、静止位置ビーコン２００において、該静止位置ビーコン２００の位置に関連する位置データを送信する工程と、参加者が支持するモバイル参加者受信機において、静止位置ビーコン２００から位置データを受信する工程と、静止位置ビーコン２００から受信したデータに基づいて参加者のパフォーマンスデータを修正する工程と、を含む。【選択図】図１
2013135849.tif 000002
【特許請求の範囲】
【請求項１】
フィットネス活動中に参加者が使用するポータブルフィットネス装置においてＧＰＳ信号を受信する工程と；
受信されたＧＰＳ信号に基づいて参加者のパフォーマンスデータを決定する工程と；
静止位置ビーコンにおいて、該静止位置ビーコンの位置に関連する位置データを送信する工程と；
参加者が支持するモバイル参加者受信機において、静止位置ビーコンから位置データを受信する工程と；
静止位置ビーコンから受信したデータに基づいて参加者のパフォーマンスデータを修正する工程と；
を含む、フィットネス活動に従事する参加者のパフォーマンスをモニタリングする方法であって、それぞれの工程が、少なくとも１つのプロセッサを使用して実行される、方法。
【請求項２】
参加者のパフォーマンスデータが位置データを含む、請求項１に記載の方法。
【請求項３】
参加者のパフォーマンスデータが、ペース、速さおよび移動距離からなる群から選択されるデータを含む、請求項１に記載の方法。
【請求項４】
フィットネス活動が所定の経路を含み、静止位置ビーコンが該経路に沿った所定の位置に配置される、請求項１に記載の方法。
【請求項５】
フィットネス活動中に参加者のパフォーマンスデータをユーザーに対して表示する工程を更に含む、請求項１に記載の方法。
【請求項６】
フィットネス活動後に参加者のパフォーマンスデータをユーザーに対して表示する工程を更に含む、請求項１に記載の方法。
【請求項７】
静止位置ビーコンにおいて時間データを送信する工程と；参加者が支持するモバイル参加者受信機において、静止位置ビーコンから時間データを受信する工程と；を更に含む、請求項１に記載の方法。
【請求項８】
位置データが静止位置ビーコンから受信された時に修正が生じる、請求項１に記載の方法。
【請求項９】
フィットネス活動が完了した後に修正が生じる、請求項１に記載の方法。
【請求項１０】
参加者が静止位置ビーコンを横切った後に修正が生じる、請求項１に記載の方法。
【請求項１１】
ポータブルフィットネス装置がスマートフォンを含む、請求項１に記載の方法。
【請求項１２】
静止位置ビーコンがマットを含む、請求項１に記載の方法。
【請求項１３】
モバイル参加者トランシーバーからポータブルフィットネス装置へ位置データを送信する工程を更に含む、請求項１に記載の方法。
【請求項１４】
モバイル参加者受信機が専用のレースチップである、請求項１に記載の方法。
【請求項１５】
モバイル参加者受信機がポータブルフィットネス装置とは別個である、請求項１に記載の方法。
【請求項１６】
レース中に参加者が使用するポータブルフィットネス装置により受信されたＧＰＳ信号に基づいて参加者のパフォーマンスデータを決定する工程と；
経路に沿った所定の位置に配置された静止位置ビーコンから、該静止位置ビーコンの位置に関連する位置データを送信する工程と；
参加者が支持するモバイル参加者受信機において、静止位置ビーコンから位置データを受信する工程と；
静止位置ビーコンから受信したデータに基づいて参加者のパフォーマンスデータを修正する工程と；
を含む、所定の経路を有するレースに従事する参加者のパフォーマンスをモニタリングする方法であって、それぞれの工程が、少なくとも１つのプロセッサを使用して実行される、方法。
【請求項１７】
前記レースがマラソンである、請求項１６に記載の方法。
【請求項１８】
静止位置ビーコンにおいて、該静止位置ビーコンの位置に関連する時間データを送信する工程と；参加者が支持するモバイル参加者受信機において、静止位置ビーコンから時間データを受信する工程と；を更に含む、請求項１６に記載の方法。
【請求項１９】
モバイル参加者トランシーバーがポータブルフィットネス装置の一部である、請求項１６に記載の方法。
【請求項２０】
モバイル参加者トランシーバーがポータブルフィットネス装置とは別個である、請求項１６に記載の方法。
【請求項２１】
参加者のパフォーマンスデータが位置データを含む、請求項１６に記載の方法。
【請求項２２】
参加者のパフォーマンスデータが、ペース、速さおよび移動距離からなる群から選択されるデータを含む、請求項１６に記載の方法。
【請求項２３】
フィットネス活動中にポータブルフィットネス装置上に参加者のパフォーマンスデータを表示する工程を更に含む、請求項１６に記載の方法。
【請求項２４】
フィットネス活動後にユーザーに対して参加者のパフォーマンスデータを表示する工程を更に含む、請求項１６に記載の方法。
【請求項２５】
位置データが静止位置ビーコンから受信された時に修正が生じる、請求項１６に記載の方法。
【請求項２６】
ポータブルフィットネス装置がスマートフォンを含む、請求項１６に記載の方法。
【請求項２７】
静止位置ビーコンがマットを含む、請求項１６に記載の方法。
【請求項２８】
レース完了後に修正が生じる、請求項１６に記載の方法。
【請求項２９】
各送信機が競争するレースに関連する位置データを無線で送信する、経路に沿った所定の位置に配置される複数の静止位置ビーコンと；
ポータブルフィットネス装置により受信されるＧＰＳ信号に基づいて参加者のパフォーマンスデータを決定し、少なくとも送信機の位置データに基づいてパフォーマンスデータを修正するために、レース中に参加者が使用するポータブルフィットネス装置と；
を含む、所定の経路を有する競争するレースに従事する参加者のパフォーマンスをモニタリングするシステム。
【請求項３０】
フィットネス活動中に参加者が使用するポータブルフィットネス装置においてＧＰＳ信号を受信する工程と；
受信されたＧＰＳ信号に基づいて参加者のパフォーマンスデータを決定する工程と；
静止位置ビーコンから、該静止位置ビーコンの位置に関連する位置データを受信する工程と；
静止位置ビーコンから受信したデータに基づいて参加者のパフォーマンスデータを修正する工程と；
を含む、フィットネス活動、好ましくはレースに従事する参加者のパフォーマンスをモニタリングする、コンピュータで実行される方法。
【請求項３１】
静止位置ビーコンから該静止位置ビーコンの位置に関連する時間データを送信する工程を更に含む、請求項３０に記載の方法。
【請求項３２】
位置データが、参加者が支持するモバイル参加者受信機において静止位置ビーコンから受信される、請求項３０に記載の方法。
【請求項３３】
参加者のパフォーマンスデータが位置を含む、請求項３０または３１に記載の方法。
【請求項３４】
参加者のパフォーマンスデータが、ペース、速さおよび移動距離からなる群から選択されるデータを含む、請求項３０〜３３のいずれかに記載の方法。
【請求項３５】
フィットネス活動が所定の経路を含み、静止位置ビーコンが該経路に沿った所定の位置に配置される、請求項３０〜３４のいずれかに記載の方法。
【請求項３６】
フィットネス活動中および／またはフィットネス活動後に、ユーザーに対して参加者のパフォーマンスデータを表示する工程を更に含む、請求項３０〜３５のいずれかに記載の方法。
【請求項３７】
位置データが静止位置ビーコンから受信された時に修正が生じる、請求項３０〜３６のいずれかに記載の方法。
【請求項３８】
参加者が静止位置ビーコンを横切った後に修正が生じる、請求項３０〜３７のいずれかに記載の方法。
【請求項３９】
ポータブルフィットネス装置がスマートフォンを含み、静止位置ビーコンがマットを含む、請求項３０〜３８のいずれかに記載の方法。
【請求項４０】
モバイル参加者受信機からポータブルフィットネス装置へ位置データを送信する工程を更に含む、請求項３２〜３９のいずれかに記載の方法。
【請求項４１】
モバイル参加者受信機が専用のレースチップである、請求項３２〜４０のいずれかに記載の方法。
【請求項４２】
モバイル参加者受信機が、ポータブルフィットネス装置とは別個である、またはポータブルフィットネス装置の一部である、請求項３２〜４１のいずれかに記載の方法。
【請求項４３】
フィットネス活動に従事する参加者のパフォーマンスをモニタリングするシステムであって、請求項３０〜４２のいずれかに記載の方法を実行するために適合された、システム。
【請求項４４】
請求項３０〜４３のいずれかに記載の方法を実行するための命令を含むコンピュータプログラム。
【発明の詳細な説明】
【技術分野】
【０００１】
（発明の分野）
本発明は、フィットネス活動のモニタリングに関する。より具体的には、本発明の実施形態は、フィットネス活動の参加者のパフォーマンスをモニタリングするシステムおよび方法に関する。
（背景技術）
フィットネス活動、例えば競争するレースイベント等に参加することは、健康なライフスタイルおよび個人福祉を維持するために重要であり得る。技術により、こうした活動に従事する個体についての情報をモニタリングできるシステムが開発されている。例えば、いくつかの競争するレースイベントは、レース中に参加者の位置をモニタリングし得るチップタイミングシステム（chip timing systems）を含む。しかし、こうしたシステムは、レースコースに沿った一定のポイントにおける位置および時間の情報を提供することのみに限られ得る。また、こうしたシステムは、レース中に参加者に対してその他のパフォーマンス情報、例えばペース、速さおよび距離等を提供することができない場合もあり得る。こうした活動の参加者に正確なリアルタイムの情報を提供するフィットネスモニタリングのシステムおよび方法が必要とされる。正確なリアルタイムの情報およびパフォーマンスデータをレースの参加者に提供することは、アスリートが自分のパフォーマンスをより上手にコントロールし、利用可能なリソースを理想的に使うようにレースのコースにパフォーマンスを適合させることを可能にし得る。さらに、フィットネス活動を見る者は、競争の興奮を楽しむことができ、また、１人以上の参加者のパフォーマンスをモニタリングしたいと思い得る。レースの参加者のパフォーマンスをモニタリングすることは、エンターテインメントの観点から有用であるのみならず、例えば、異なる参加者の身体能力の比較も提供し得る。更に、モニタリングされたパフォーマンスのデータは、怪我またはその他の健康への脅威を防ぐために、アスリートの健康状態を管理する（例えば医療スタッフによって）ために使用され得る。
【発明の開示】
【０００２】
（発明の要旨）
本発明の実施形態は、フィットネス活動中に参加者が使用するポータブルフィットネス装置においてＧＰＳ信号を受信する工程と；受信されたＧＰＳ信号に基づいて参加者のパフォーマンスデータを決定する工程と；静止位置ビーコンにおいて、該静止位置ビーコンの位置に関連する位置データを送信する工程と；参加者が支持するモバイル参加者トランシーバーにおいて、静止位置ビーコンから位置データを受信する工程と；静止位置ビーコンから受信したデータに基づいて参加者のパフォーマンスデータを修正する工程と；を含む、フィットネス活動に従事する参加者のパフォーマンスをモニタリングする方法に関する。該方法の各工程は、例えばポータブルフィットネス装置、モバイル参加者トランシーバー、位置ビーコン、および／またはリモートサーバーにおいて提供される少なくとも１つのプロセッサを使用して実行され得る。
【０００３】
別の実施形態において、所定の経路を有する競争するレースに従事する参加者のパフォーマンスをモニタリングする方法は、レース中に参加者が使用するポータブルフィットネス装置により受信されたＧＰＳ信号に基づいて参加者のパフォーマンスデータを決定する工程と；経路に沿った所定の位置に配置された静止位置ビーコンから、該静止位置ビーコンの位置に関連する位置データを送信する工程と；参加者が支持するモバイル参加者トランシーバーにおいて、静止位置ビーコンから位置データを受信する工程と；静止位置ビーコンから受信したデータに基づいて参加者のパフォーマンスデータを修正する工程と；を含む。該方法の各工程は、例えばポータブルフィットネス装置、モバイル参加者トランシーバー、位置ビーコン、および／またはリモートサーバーにおいて提供される少なくとも１つのプロセッサを使用して実行され得る。
【０００４】
別の実施形態において、所定の経路を有する競争するレースに従事する参加者のパフォーマンスをモニタリングするシステムは、各送信機がレースに関連する位置データを無線で送信する、経路に沿った所定の位置に配置される複数の静止位置ビーコンと；ポータブルフィットネス装置により受信されるＧＰＳ信号に基づいて参加者のパフォーマンスデータを決定し、少なくとも送信機の位置データに基づいてパフォーマンスデータを修正するために、レース中に参加者が使用するポータブルフィットネス装置と；を含む。本明細書に記載の方法は、ハードウェアおよび／またはソフトウェア、すなわちコンピュータプログラムの任意の組み合わせにおいて実行され得る。
【０００５】
別の実施形態において、フィットネス活動、好ましくはレースに従事する参加者のパフォーマンスをモニタリングする、コンピュータで実行される方法は、フィットネス活動中に参加者が使用するポータブルフィットネス装置においてＧＰＳ信号を受信する工程と；受信されたＧＰＳ信号に基づいて参加者のパフォーマンスデータを決定する工程と；静止位置ビーコンから、該静止位置ビーコンの位置に関連する位置データを受信する工程と；静止位置ビーコンから受信したデータに基づいて参加者のパフォーマンスデータを修正する工程と；を含む。
【０００６】
本発明の実施形態は、共同所有である米国特許出願公開第2011/0082641号明細書（発明の名称「身体活動中にユーザーについての情報を提供するための方法およびコンピュータプログラム製品」）、米国特許出願番号12/836,421号（出願日：２０１０年７月１４日、発明の名称「フィットネスモニタリング方法、システムおよびプログラム製品、並びにそれらの適用」）、および米国特許出願番号12/836,416号（出願日：２０１０年７月１４日、発明の名称「位置認識フィットネスモニタリング方法、システムおよびプログラム製品、並びにそれらの適用」）に記載された１つ以上の特徴を含み得、これらの開示内容は、その全体を引用することにより本明細書の一部をなす。
【０００７】
添付の図面は、組み込まれて本明細書の一部をなすが、本発明を説明し、また、記述と共に本発明の原理を説明し、当業者が本発明を作成および使用することを可能にするのに役立つ。
【図面の簡単な説明】
【０００８】
【図１】図１は、本発明のある実施形態に従った静止位置ビーコンを含むフィットネス活動モニタリングシステムの概略図である。
【０００９】
【図２】図２は、本発明のある実施形態に従った静止位置ビーコンシステムの概略図である。
【００１０】
【図３】図３は、本発明のある実施形態に従った、レースの経路に沿った静止位置ビーコンシステムの概略図である。
【００１１】
【図４】図４は、本発明のある実施形態に従ったフィットネスモニタリングシステムのブロック図である。
【００１２】
【図５】図５は、本発明のある実施形態に従った別個のモバイル参加者トランシーバーを含むフィットネス活動モニタリングシステムの概略図である。
【００１３】
【図６】図６は、本発明のある実施形態に従ったフィットネス活動の参加者のパフォーマンスをモニタリングする方法を図示するフローチャートである。
【００１４】
【図７】図７は、本発明のある実施形態に従ったフィットネス活動の参加者のパフォーマンスをモニタリングする方法を図示するフローチャートである。
【００１５】
【図８】図８は、本発明のある実施形態に従った見物人と通信するフィットネス活動モニタリングシステムの概略図である。
【００１６】
【図９】図９は、本発明のある実施形態に従った訂正された参加者のパフォーマンスデータに基づく警告を図示するフィットネスモニタリング装置の表示部の概略図である。
【００１７】
【図１０】図１０は、本発明のある実施形態に従った訂正された参加者のパフォーマンスデータに基づく警告を図示する見物人装置の表示部の概略図である。
【００１８】
【図１１】図１１は、本発明のある実施形態に従った訂正された参加者のパフォーマンスデータを図示するフィットネスモニタリング装置の表示部および／または見物人装置の表示部の概略図である。
【発明を実施するための形態】
【００１９】
（発明の詳細な説明）
以下、本発明を、添付の図面において説明する実施形態を参照しながら詳しく説明する。図面における同じ参照番号は、同一または機能的に類似の要素を示すために使用される。「１つの実施形態」、「ある実施形態」、「例示的実施形態」等への言及は、記載された実施形態が特定の特徴、構造または特性を含み得ることを示すが、すべての実施形態が必ずしもその特定の特徴、構造または特性を含んでいるわけではない。また、このような表現は必ずしも同じ実施形態に言及しているわけではない。また、特定の特徴、構造または特性がある実施形態と関連して記載されている場合、はっきり記載されていようといまいと、このような特徴、構造または特性にその他の実施形態と関連して影響を与えることは当業者の知識の範囲内であると考える。
【００２０】
以下の例は本発明の例示であり、本発明を限定するものではない。当技術分野において普通に遭遇し、当業者にとって明白であろう多様な条件およびパラメーターのその他の好適な修正および適合は、本発明の精神および範囲内である。
【００２１】
本発明の実施形態は、フィットネス活動中に１人以上の個体のパフォーマンスをモニタリングするためのシステム１０を含む。後で述べるように、フィットネス活動は、フィットネス活動中に参加者が行き来する所定の経路（例えばレースのコース）を含む。様々な実施形態において、本発明は、フィットネス活動に従事する参加者（例えばアスリート）１００のパフォーマンスをモニタリングするためのシステム１０を含む。図１を参照すると、システムは、フィットネス活動の参加者１００によって使用され、フィットネス活動中に参加者に関連するリアルタイムのパフォーマンスデータを決定および／または送信するように適合された、ポータブルフィットネスモニタリング装置１０２を含む。パフォーマンスデータは、位置、ペース、速さ、距離、およびフィットネス活動中の参加者のパフォーマンスに関連するその他のデータを含み得る。ポータブルフィットネスモニタリング装置１０２は、ネットワーク１１０を通じてフィットネス活動サーバー１１２と通信し、参加者１００のパフォーマンスデータをサーバー１１２に伝え得る。理解されるであろうが、ある実施形態において、ネットワーク１１０は、インターネット、ブルートゥース（Bluetooth（登録商標））ネットワーク、ＧＳＭ（登録商標）、ＷＬＡＮ、ＷＡＮ、またはその他の好適な通信ネットワークであって良い。ある別の実施形態において、ネットワークは、プライベート・ネットワークまたはイントラネット、例えば特定のフィットネス活動（例えばニューヨークシティマラソン）専用のネットワーク等であり得る。その他の好適な通信ネットワークを使用しても良い。いくつかの実施形態において、パフォーマンスデータは、フィットネス活動の完了後に通信および／または受信され得る。
【００２２】
システム１０は、所定の経路に沿って所定の距離に配置される位置ビーコンシステム２００を更に含む。位置ビーコンシステム２００は、ポータブルフィットネスモニタリング装置１０２および／またはフィットネス活動サーバー１１２と直接的または間接的に通信し、経路に沿ったその所定の位置に関連する信号を送信する。１つの実施形態において、信号は、参加者のパフォーマンスデータ（例えば位置、速さ、ペース、距離）がそれだけで、または追加的なデータと併せて正確に決定できるように、ビーコンシステム２００の位置を示すタイムスタンプされた位置情報、および信号が送信された時間を含む。例えば、ビーコン信号情報は、ポータブルフィットネス装置１０２が獲得したＧＰＳデータと併せて使用され得る。１つの実施形態において、ビーコン信号を受信後、システム１０は、少なくともビーコン信号情報に基づいて参加者のパフォーマンスデータを修正する。このようにして、１つの実施形態において、モニタリングシステム１０は、ポータブルフィットネスモニタリング装置１０２が単独で提供し得るよりもより正確な、参加者の位置を含むフィットネス活動中の参加者のパフォーマンスデータを提供し得る。
【００２３】
当業者は理解するであろうが、ポータブルフィットネスモニタリング装置１０２は、例えば、携帯電話、スマートフォン、パーソナル・デジタル・アシスタント、音楽ファイルプレーヤー（例えばMP3プレーヤー）、タブレット型コンピュータ、ラップトップ型コンピュータ、着用するためのインテリジェントな物品（例えばフィットネスモニタリング衣服、リストバンド、腕時計等）、ドングル（例えば、第１の電子装置に物理的に接続し、および／または追加的な電子装置にワイヤレスで接続することができる小さなハードウェア装置）、または本明細書に記載のモニタリング方法を提供するため専用の、または専用ではない任意のその他の好適な装置等の装置であって良い。装置は、フィットネス活動に従事する間容易に使用できるように、参加者１００によって支持され得る。１つの実施形態において、装置は参加者１００の体に取り付けることができる。例えば、装置は、腕、胸部、脚、または足に取り付けることができる。１つの実施形態において、ポータブルフィットネスモニタリング装置１０２は手で持っても良い。
【００２４】
１つの実施形態において、例えば図１に示すように、ポータブルフィットネスモニタリング装置１０２は、全地球測位システム（ＧＰＳ）を備えた装置を含む。システム１０は、ポータブルフィットネスモニタリング装置１０２が既知の技術に従ってその位置、速さ、ペース、移動距離、相対的位置(bearing)、および類似のパフォーマンスデータを継続的に決定することを可能にし得るＧＰＳ信号２２を継続的に発するＧＰＳ衛星２０を含み得る。理解されるであろうが、フィットネスモニタリング装置１０２は、参加者のパフォーマンスデータを受信および送信するために必要なＧＰＳ受信機／送信機を含む。ポータブルフィットネスモニタリング装置１０２は、パフォーマンスデータをサーバー１１２またはその他の装置（例えば後で述べるような見物人装置）へ継続的に送信する、あるいは節電の目的で所定の間隔で送信することができる。
【００２５】
ポータブルフィットネス装置１０２はまた、フィットネス活動中の参加者のパフォーマンスに関連する様々なパフォーマンスパラメーターに関するデータを測定または受信するように適合され得る。図１に示すように、１つの実施形態において、システム１０は、参加者１００のパフォーマンスパラメーターを測定するための１つ以上の追加的なセンサ１０４および１０６を含み得る。例えば、システム１０は、フィットネス活動中の心拍数情報を決定するための心拍数センサ１０４、および加速度計１０６を含み得る。１つの実施形態において、加速度計１０６は、既知の技術に従って参加者１００の位置を決定するためにＧＰＳ機能を備えたポータブルフィットネスモニタリング装置１０２と連動して使用できる。例えば、加速度計１０６が提供するデータは、ＧＰＳ信号が遮断された場合に（例えば参加者が橋の下の経路を通る等により）、参加者の位置の「推測航法(dead reckoning)」を提供するために使用され得る。システム１０は、その他のセンサを含み得、それらには歩数計、脈拍計、呼吸数センサ、ジャイロスコープ、磁力計、水分補給センサ、体温計、あるいはパフォーマンスパラメーターを測定および／または計算するために使用され得る情報を検出するためのその他の好適なセンサが含まれるがそれらに限定されない。システム１０の各センサは、有線および／または無線による接続においてポータブルフィットネスモニタリング装置１０２と通信でき、フィットネス活動中に参加者１００に関するパフォーマンスデータを提供できる。１つの実施形態において、パフォーマンスデータは、ネットワーク１１０を通じてポータブルフィットネスモニタリング装置１０２からサーバー１１２および／または別の装置（例えば後で述べるような見物人装置）へ送信され得る。いくつかの実施形態において、パフォーマンスデータはポータブルフィットネスモニタリング装置１０２に記憶される。
【００２６】
フィットネス活動は、参加者１００が従事し、位置ビーコンシステム２００を含む任意のフィットネス活動を含み得る。１つの実施形態において、フィットネス活動は競争するフィットネス活動であり、徒歩競走、競輪、スキーやスノーボードのレース、または参加者１００の物理的な位置が時間の関数として変化するその他のフィットネス活動を含むがこれらに限定されない。フィットネス活動は任意の所望の長さであって良く、時間が決められたイベントであって良い。例えば、フィットネス活動は、企画された競争するランニングのレース、例えばニューヨークシティマラソン、ワシントンＤＣのアーミー・テン・マイラー（Army Ten Miler）や、高校の５キロの（５Ｋ）クロスカントリーレースを含み得る。ある実施形態において、フィットネス活動は、自分で企画した活動であり得る。例えば、参加者は、１人以上の個体、例えば家族、友人、あるいはソーシャルネットワークのメンバーが従事するフィットネス活動を企画できる。ソーシャルネットワークは、Facebook（登録商標）の友人、LinkedIn（登録商標）のコンタクト、Twitter（登録商標）のフォロワー、フィットネスウェブサイト上のアスリートコミュニティのメンバー等を含み得る。１つの実施形態において、フィットネス活動は、１人以上の参加者が行き来する所定の経路を含む。所定の経路は、例えばニューヨークシティマラソンのような競争するランニングのレースにおいてそうであるように、レースの企画者によって提供され得る。いくつかの実施形態において、所定の経路は、参加者によって作成およびスケジューリングされた経路を含み得る。例えば、所定の経路は、米国特許出願公開第2011/0082641号明細書（発明の名称「身体活動中にユーザーについての情報を提供するための方法およびコンピュータプログラム製品」）に記載された実施形態に従って作成およびスケジューリングされ得る。１つの実施形態において、所定の経路は、例えば毎週水曜日に同じ場所で同じ時間に行われる５キロの（５Ｋ）レースとして作成およびスケジューリングされ得、サーバー１１２のユーザーのアカウントに保存され得る。サーバー１１２は、フィットネス活動の所定の経路を含むフィットネス活動に関連した情報を記憶でき、そうした情報はポータブルフィットネスモニタリング装置１０２にダウンロードされ得る。いくつかの実施形態において、フィットネス活動は、乗り物のレース、例えば車やボートのレース等を含み得る。
【００２７】
再び図１を参照すると、１つの実施形態において、位置ビーコンシステム２００は複数のレースマット２０２を含む。各マット２０２は、フィットネス活動の経路の地面に沿って所定の位置に配置される実質的に平らな部材であり得る。マット２０２は、該特定のマット２０２の位置に関連する固有の位置および時間情報を送信するための１つ以上のアンテナまたは送信機２０４を含み得る。送信機２０４は、既知の技術を使用して信号を送信するように適合され、そうした技術にはＲＦＩＤ、ブルートゥース（Bluetooth（登録商標））、磁場、近距離無線通信システム、またはタイムスタンプされた位置情報を含む信号を提供するように適合されたその他の好適な技術が含まれるがそれらに限定されない。１つの実施形態において、送信機２０４は受信機を含み得、データを送受信するように適合され得る。１つの実施形態において、１つ以上の送信機２０４は、マット２０２に埋め込まれ得、またはマット２０２上に配置され得る。マット２０２は、フィットネス活動中に複数の参加者１００の行き来を受け入れるように好ましいサイズおよび形にされる。例えば、マット２０２は、レースのコースに使用される道路の幅に合わせて伸び得、レースの参加者の走りの妨げとならないように実質的に低い高さの側面を有し得る。フィットネス活動中、各マット２０２は、タイムスタンプされた位置情報を含む信号を送信する。参加者１００がマット２０２に最も近い時（例えば参加者１００がマットを越えた時）、信号がポータブルフィットネスモニタリング装置１０２によって受信される。ポータブルフィットネスモニタリング装置１０２は、ＧＰＳ衛星２０からのＧＰＳ信号２２からの位置データも受信し得る。少なくとも位置ビーコンシステム２００の信号に基づき、参加者の正確な位置が決定され得る。
【００２８】
図２を参照すると、１つの実施形態において、位置ビーコンシステム２００は、マット２０２に加えて、またはその代わりに使用され得る、塔２０６およびそれに接続される１つ以上の送信機２０４を含む。ポータブルフィットネスモニタリング装置１０２において信号が直接的または間接的に受信され得るように信号を送信するために、送信機２０４は、示されるように側面配置（side arrangement）および／または頭上配置（overhead arrangement）で提供され得る。当業者は理解するであろうが、位置ビーコンシステム２００は、参加者がシステム２００に最も近い時にポータブルフィットネスモニタリング装置１０２によって信号が受信されるように配置され得る。例えば、信号は、参加者２００がマット２０２の上にいる時、塔２０６の隣にいる時、塔２０６の下にいる時、あるいはシステム２００に最も近い時に受信され得る。アンテナ支持構造物としてマット２０２も塔２０６も含まないシステムを含む、位置ビーコンシステム２００のその他の好適な実施形態が、フィットネス活動の所定の経路に沿って参加者２００へ固有のタイムスタンプされた位置信号を送信するために使用され得る。１つの実施形態において、位置ビーコンシステム２００は、光バリアまたは磁場の技術を含み得る。
【００２９】
図３に示すように、複数のタイムスタンプされた位置信号の送信機（例えば複数のマット２０２、またはその他の好適な位置ビーコン支持構造物、例えば塔２０６の上など）を含む位置ビーコンシステム２００は、フィットネス活動の経路１２０（例えばレースのコース）に沿って所定の距離で配置される。例えば競争するレースにおいては、マット２０２は、レースのスタートラインおよびゴール、並びにスタートラインとゴールの間の所定の位置に配置され得る。更なる例として、マラソンにおいては、図３に概略的に示されるように、マット２０２はレースの経路１２０に沿った各マイルマーカー(mile marker)に配置され得る。マット２０２は、その他の位置においても提供され得、それらには救護所、給水所およびレースコースのランドマークが含まれるがそれらに限定されない。１つの実施形態において、位置ビーコンシステム２００は、例えばニューヨークシティマラソンのような競争するランニングのレースにおいてそうであり得るように、レースの企画者によって提供され得る。図３に示すように、ポータブルフィットネスモニタリング装置１０２は、ＧＰＳ衛星２０からＧＰＳ信号２２を受信し得る。ポータブルフィットネスモニタリング装置１０２は、位置ビーコンシステム２００と直接的または間接的に相互に作用して、送信機２０４から位置および／またはタイミングのデータを受信し、それに従って参加者のパフォーマンスデータを修正してより正確なデータを提供することができる。
【００３０】
１つの実施形態において、位置ビーコンシステム２００は、図３に示すようにコントローラー２１０を含み得る。コントローラー２１０は、マット２０２と通信でき、参加者２００への送信のためにマット２０２へタイミングおよびその他のレースのデータを提供し得る。例えば、コントローラー２１０は、時間計算の基になり得る公式のレース用の時計を含み得る。１つの実施形態において、コントローラー２１０は、マット２０２と効率的に通信できるようにレースコース１２０の中央に配置され得る。１つの実施形態において、複数のコントローラー２１０が使用され得る。コントローラー２１０は、例えばレースの企画者によって管理され得る。
【００３１】
図４に示すように、ポータブルフィットネスモニタリング装置１０２および位置ビーコンシステム２００は、通信して本発明のフィットネスモニタリング方法を提供するように適合される。１つの例示的な実施形態において、ポータブルフィットネスモニタリング装置１０２は、衛星２０からＧＰＳ信号２２を受信するためのＧＰＳ受信機１２を含む。いくつかの実施形態において、受信機１２はデータを送受信するように適合されたトランシーバーであり得る。ＧＰＳ信号データを用いて、プロセッサ１４が、参加者のパフォーマンスデータ（例えば位置、速さ、ペースおよび距離）を計算する。次にポータブルフィットネスモニタリング装置１０２が、ネットワーク１１０を通じてサーバー１１２および／またはモニタリングシステム１０内のその他の装置へ参加者のパフォーマンスデータを送信する。例えば、理解されるであろうが、ポータブルフィットネスモニタリング装置１０２がスマートフォンである実施形態においては、例えば装置のＧＳＭ（登録商標）モジュールを使用してこれが遂行され得る。１つの実施形態において、ポータブルフィットネスモニタリング装置１０２は、位置ビーコンシステム２００からデータを受信するためのローカル受信機１３をも含み得る。１つの実施形態において、ローカル受信機１３は受動的受信機であり得る。いくつかの実施形態において、ローカル受信機１３は、データを送受信するように適合されたトランシーバーを含み得る。１つの例示的な実施形態において、ローカル受信機１３は、マット２０２の送信機２０４から信号を受信し、信号の受信に応えてデータを送信することができる能動的または受動的ＲＦＩＤタグを含み得る。１つの実施形態において、ローカル受信機１３は、ＧＰＳ受信機１２内に含まれ得る。別の実施形態において、ローカル受信機１３はＧＰＳ受信機１２とは別個である。１つの実施形態において、例えば図５に示すように、ローカル受信機１３は、ポータブルフィットネスモニタリング装置１０２とは別個であるが装置１０２と通信するように適合されたレースチップ１０８に包含され得る。このようにして、位置ビーコンシステム２００は、ポータブルフィットネスモニタリング装置１０２へ位置および／または時間のデータを間接的に通信し得る（すなわちレースチップ１０８を通じて）。１つの実施形態において、レースチップ１０８は、例えば参加者１００の靴の上、または靴の内部（例えば靴底内の空洞内）に取り付けられ得る。
【００３２】
図４に示すように、ポータブルフィットネスモニタリング装置１０２は、プロセッサ１４、視覚的および／または可聴式表示部１５、メモリ１６、バッテリー１７等の電力供給１７（交換または再充電可能）、ユーザー入力装置１８、およびスピーカー１９を更に含み得る。プロセッサ１４は、一般的に、ポータブルフィットネスモニタリング装置１０２の操作、並びにポータブルフィットネスモニタリング装置１０２、サーバー１１２および位置ビーコンシステム２００の間の相互作用に関連するコンピュータ可読媒体のステップおよび命令を処理または制御するユニットである。当業者は理解するであろうが、ポータブルフィットネスモニタリング装置１０２の構成要素は、本明細書に記載のフィットネスモニタリング方法を提供するために必要な機能および相互作用を提供するために動作可能に接続される。
【００３３】
続けて図４を参照すると、１つの実施形態において、マット２０２（または塔２０６）は、送信機２０４に電力供給するためのバッテリー２０７等の電力供給２０７（交換または再充電可能）と、マット２０２の操作並びにマット２０２、サーバー１１２およびポータブルフィットネスモニタリング装置１０２の間の相互作用に関連するコンピュータ可読媒体のステップおよび命令を処理または制御するプロセッサ２０８と、を更に含み得る。１つの実施形態において、理解されるであろうが、位置ビーコンシステム２００は、メモリ、表示部およびユーザー入力装置の構成要素を更に含み得る。複数のマット２０２の維持および操作を簡素化するために、システム２００の構成要素の１つ以上がコントローラー２１０上に提供され得る。当業者は理解するであろうが、マット２０２の構成要素は、本明細書に記載のフィットネスモニタリング方法を提供するために必要な機能および相互作用を提供するために動作可能に接続される。
【００３４】
ポータブルフィットネスモニタリング装置１０２、マット２０２を含む位置ビーコンシステム２００、およびフィットネス活動サーバー１１２は、相互作用して本発明のフィットネスモニタリング方法を提供するように適合される。図６は、本発明のある実施形態に従った、フィットネス活動の参加者１００のパフォーマンスをモニタリングする方法６００の工程のフローチャートである。方法６００は、少なくとも工程６０２、６０４、６０６、６０８および６１０を含み得る。方法６００を説明するために、本明細書に記載のシステム１０の実施形態が用いられるが、該方法がそれらに限定されることは意図されない。工程６０２は、ポータブルフィットネスモニタリング装置１０２においてフィットネス活動中にＧＰＳ信号を受信することを含む。工程６０４において、参加者の現在の位置、ペース、速さおよび移動距離のうちの１つ以上を含む参加者のパフォーマンスデータが、受信されたＧＰＳ信号に基づいて決定され得る。１つの実施形態において、例えばタイムスタンプされたＧＰＳ信号から位置、速さ、ペースおよび距離を計算するための既知の技術に従って、ポータブルフィットネスモニタリング装置１０２のプロセッサ１４によって計算が実行され得る。別の実施形態においては、計算のいくつか、または全てがフィットネス活動サーバー１１２において実行され得る。
【００３５】
工程６０６において、固有のタイムスタンプされた位置信号が、静止位置ビーコンシステムのマット２０２の送信機２０４から送信される。信号は、マット２０２の位置および信号が送信された時間を含み得る。工程６０８において、タイムスタンプされた位置信号は、参加者１００によって支持されるローカルトランシーバー１３によって受信される。ローカルトランシーバー１３は、ポータブルフィットネスモニタリング装置１０２の一部であっても、またはビーコンシステムの送信機２０４と無線で通信する別個の装置であって良い。
【００３６】
工程６１０において、静止位置ビーコンシステムのマット２０２から受信したタイムスタンプされた位置データに基づいて、システム１０が参加者のパフォーマンスデータを修正する。例えば、エラー許容範囲またはＧＰＳ衛星２０との通信の困難（例えば参加者１００が橋の下を通る時）が原因で、ポータブルフィットネスモニタリング装置１０２が受信したＧＰＳ信号に基づいて決定された参加者の位置が不正確である場合がある。静止位置ビーコンシステムのマット２０２の正確な位置はわかっているので、この位置情報は、より正確な参加者１００の位置を決定するために使用され得る。１つの実施形態において、マット２０２から受信した位置情報は、ＧＰＳ信号のみに基づいて決定された位置データに代わり得る。別の実施形態において、ＧＰＳ信号に基づいて決定された位置データは、マット２０２から受信した位置情報に基づいて調整され得る。例えば、修正された参加者の位置データとして、２セットの座標（coordinates）の平均が使用され得る。参加者の位置情報は、それが受信された時間と相関性があるので、マット２０２から受信したタイムスタンプされた位置信号に基づき、速さ、ペースおよび移動距離を含むその他の参加者のパフォーマンスデータが、より正確なデータを提供するために修正され得る。フィットネス活動中に既に決定された参加者のパフォーマンスデータも、それに応じてアップデートできる。
【００３７】
１つの実施形態において、アップデートされた参加者のパフォーマンスデータは、サーバー１１２へ送信され得る。１つの実施形態において、アップデートされた参加者のパフォーマンスデータは、ポータブルフィットネスモニタリング装置１０２の表示部１５上で参加者１００に対して表示され得る。データは、フィットネス活動中に継続的に表示され得、また、フィットネス活動が完了した後にも表示され得る。１つの実施形態において、参加者のパフォーマンスデータを修正するのに必要な計算は、例えばタイムスタンプされたＧＰＳ信号から位置、速さ、ペースおよび距離を計算するための既知の技術に従って、ポータブルフィットネスモニタリング装置１０２のプロセッサ１４によって実行され得る。別の実施形態においては、計算のいくつか、または全てがフィットネス活動サーバー１１２において実行され得る。これらの計算は、フィットネス活動中および／またはフィットネス活動後に実行され得る。
【００３８】
図７は、本発明のある実施形態に従った、所定の経路１２０を有する競争するレースに従事する参加者１００のパフォーマンスをモニタリングする方法７００の工程のフローチャートである。方法７００は、少なくとも工程７０２、７０４、７０６および７０８を含み得る。方法７００を説明するために、本明細書に記載のシステム１０の実施形態が用いられるが、該方法がそれらに限定されることは意図されない。工程７０２において、参加者の現在の位置、ペース、速さおよび移動距離を含む参加者のパフォーマンスデータは、ポータブルフィットネスモニタリング装置１０２によって受信されたＧＰＳ信号に基づいて決定され得る。１つの実施形態において、例えばタイムスタンプされたＧＰＳ信号から位置、速さおよび相対的位置(bearing)を計算するための既知の技術に従って、ポータブルフィットネスモニタリング装置１０２のプロセッサ１４によって計算が実行され得る。別の実施形態においては、計算のいくつか、または全てがフィットネス活動サーバー１１２において実行され得る。工程７０４において、固有のタイムスタンプされた位置信号が、静止位置ビーコンシステムのマット２０２の送信機２０４から送信される。マット２０２は、経路１２０に沿った所定の位置に配置される。例えば、マット２０２は、マラソンの各マイルマーカーに配置され得る。信号は、マット２０２の位置および信号が送信された時間を含み得る。工程７０６において、タイムスタンプされた位置信号は、参加者１００によって支持されるローカルトランシーバー１３によって受信される。ローカルトランシーバー１３は、ポータブルフィットネスモニタリング装置１０２の一部であっても、またはビーコンシステムの送信機２０４と無線で通信する別個の装置であって良い。工程７０８において、参加者のパフォーマンスデータは、ビーコンシステムの送信機２０４から受信されたデータに基づいて修正される。
【００３９】
図８を参照すると、１つの実施形態において、ポータブルフィットネスモニタリング装置１０２、位置ビーコンシステム２００およびフィットネス活動サーバー１１２は、フィットネス活動中に参加者１００の位置を追跡しているかも知れない見物人３００（例えば見物人装置３０２上）に対して訂正された参加者のパフォーマンスデータを提供するために使用され得る。見物人は、コーチ、トレーナー、親、監督者、ファン、救護所の係員、医者、あるいは、正確な参加者の位置またはその他の参加者のパフォーマンスデータが有用であり得るその他のフィットネス活動の見物人を含み得る。１つの実施形態において、別の参加者が、参加者１００のパフォーマンスを追跡したいと望み得るので「見物人」となり得る。見物人は参加者またはレースを物理的に見ていないかも知れないことが理解されるであろう。見物人装置３０２は任意の好適な装置であり得、ポータブルフィットネスモニタリング装置１０２に関して記載されたものが含まれるがそれらに限定されない。フィットネス活動中、システム１０は、見物人３００に警告を送信し、参加者が見物人から一定の距離または到着時間内にいることを示すことができる。フィットネス活動中、システムはまた、参加者１００に警告を送信し、見物人３００が参加者から一定の距離または時間内にいることを示すことができる。このように、本発明の実施形態は、参加者および／または見物人のリアルタイムの位置認識を提供し、また、関与する個体に対して改善されたフィットネス活動参加または見物の経験を提供することができる。例えば、追跡している参加者が近づいているとの警告を受けている、関心のある見物人は、参加者を探してその個体の応援の準備をするように、またはサービス（例えば援助、水、用具等）を提供するように情報が与えられ得る。参加者１００の位置が位置ビーコンシステム２００からの位置データに基づいて修正または訂正される実施形態は、フィットネス活動中に参加者および見物人が相互に作用できる可能性を高め得る。従って、本発明の実施形態は、本出願と同時出願の共同所有の米国特許出願番号13/335,545号（発明の名称「フィットネスをモニタリングするシステムおよび方法」）に記載された「ライブ追跡」モバイルアプリケーションを含むシステムおよび方法を含み得、その開示内容は、その全体を引用することにより本明細書の一部をなす。理解されるであろうが、「ライブ追跡」モバイルアプリケーションは、ポータブルフィットネスモニタリング装置１０２および／または見物人装置３０２に記憶されるか、またはそれらによりアクセスされて良く、また、フィットネス活動中にリアルタイムで参加者１００および／または見物人２００の位置を追跡するために使用され得る。例えば、「ライブ追跡」モバイルアプリケーションは、既知のモバイルアプリケーションマーケットから装置にダウンロードできる。
【００４０】
本発明の実施形態において、ポータブルフィットネスモニタリング装置１０２は、位置ビーコンシステム２００と連動して、またはそれとは別々に使用され得る。例えば、１つの実施形態において、参加者１００の位置は、ポータブルフィットネスモニタリング装置１０２によって受信されたＧＰＳ信号のみに基づいて決定され得る。そしてこの位置データは、フィットネス活動中に参加者１００をリアルタイムに追跡するために、および／または、例えば参加者がレース後にワークアウトの概要を見ている時に参加者２００が通った経路を見るために使用され得る。１つの実施形態において、レースマット２０２が送信したタイムスタンプされた位置データは、その他の参加者のパフォーマンスデータ、例えばペース、速さおよび距離等を決定するために使用される唯一のデータであり得る。このパフォーマンスデータは、例えば参加者２００および／または見物人３００に対してリアルタイムのパフォーマンスデータを提供するため、並びに、参加者２００に対してコーチングのフィードバックを提供するために使用され得る。その他の実施形態においては、上述の通り、訂正された参加者のパフォーマンスデータが、ポータブルフィットネスモニタリング装置１０２および位置ビーコンシステム２００の両方を使用して決定され得る。
【００４１】
サーバー１１２は、例えば電気通信サーバー、ウェブサーバー、またはその他の類似の種類のデータベースサーバーであって良い。ある実施形態において、サーバー１１２は、複数のプロセッサおよび複数の共用のまたは別々のメモリコンポーネント、例えばクラスタ化されたコンピューティング環境またはサーバー・ファームに組み込まれた１つ以上の計算装置等を有し得る。クラスタ化されたコンピューティング環境またはサーバー・ファームによって行われるコンピューティングプロセスは、同一のまたは異なる場所に配置された複数のプロセッサにわたって実行され得る。ある実施形態において、サーバー１１２は、単一の計算装置上で実行され得る。
【００４２】
１つの実施形態において、図８に示すように、サーバー１１２は、参加者１００および／または見物人３００のアカウントを含み得るフィットネスデータベース１１３を含む、またはそれと通信することができる。例えば、フィットネスデータベース１１３は、米国特許出願公開第2011/0082641号明細書（発明の名称「身体活動中にユーザーについての情報を提供するための方法およびコンピュータプログラム製品」）に記載された実施形態に従ったデータ記憶を含み得る。サーバー１１２は、参加者１００および／または見物人３００に関連したソーシャルネットワークデータベース１１４を含む、またはそれと通信することもできる。
【００４３】
理解されるであろうが、ある実施形態において、ネットワーク１１０はインターネットであり得る。インターネットは、データの通信にインターネット・プロトコル(TCP/IP)を採用する世界中のサーバー、ルーター、スイッチおよび伝送線路を集めたものである。ある別の実施形態において、ネットワークは、プライベート・ネットワークまたはイントラネット、例えば特定のフィットネス活動（例えばニューヨークシティマラソン）専用のネットワーク等であり得る。その他の好適な通信ネットワークを使用しても良い。
【００４４】
参加者１００および／または見物人３００の位置に関する警告は、１つ以上の所定の警告パラメーターに基づいて個体、例えば見物人３００等へ送信され得る。参加者１００の位置は位置ビーコンシステム２００からの位置データに基づいて訂正され得るので、警告はより正確であり得、フィットネス活動中に参加者１００および見物人３００が相互に作用できる可能性が高められ得る。
【００４５】
警告パラメーターは、フィットネス活動前またはフィットネス活動中に参加者１００および／または見物人３００によって設定され得る。例えば、「ライブ追跡」モバイルアプリケーションを含む実施形態において、該アプリケーションは、警告パラメーターを定義するためのインターフェースを提供し得る。警告パラメーターは、サーバー１１２に記憶され、ネットワーク１１０を通じてポータブルフィットネスモニタリング装置１０２および／または見物人装置３０２によってアクセスされて良く（例えばモニタリングアプリケーションが開始された時に）、あるいは、装置自体に記憶されても良い。
【００４６】
１つの実施形態において、警告パラメーターは距離に基づくものであって良い。例えば、見物人３００は、参加者１００が自分の現在の位置からある距離（例えば２００ｍ）内にいる時に警告を受け得る。１つの実施形態において、パラメーターは時間に基づくものであって良く、見物人３００は、参加者１００が自分の現在の位置から所定の時間内にいる時に警告を受け得る。１つの実施形態において、この決定（すなわち到着時間の推定）は、参加者１００の現在の位置、および１つ以上の受信機またはセンサからポータブルフィットネスモニタリング装置１０２が受信したパフォーマンスデータに基づいて行われ得る。例えば、推定到着時間は、参加者１００の現在のペースに基づき得る。参加者のペースを含むパフォーマンスデータが、マット２０２が提供するデータを使用してより正確に決定され得るので、提供される警告はより正確であり得、フィットネス活動中に参加者１００および見物人３００が相互に作用できる可能性が高められ得る。
【００４７】
参加者１００および／または見物人３００に提供される警告は、視覚的警告、可聴式警告、触覚的警告、またはそれらの任意の組み合わせであって良い。これらの警告を提供するために、ポータブルフィットネスモニタリング装置１０２および見物人装置３０２は、このようにユーザーへ情報を伝達するように適合される。図９および１０を参照すると、１つの実施形態において、ポータブルフィットネスモニタリング装置１０２および見物人装置３０２は、表示部１５、３０３およびスピーカー１９、３０５をそれぞれ含む。触覚的警告を提供するために、これらの装置は、例えば振動する要素（図示せず）、またはその他の好適な触覚的要素を含み得る。
【００４８】
視覚的警告は、例えば図９、１０および１１に示すように、参加者１００および／または見物人３００に対して他方の位置を視覚的に示し得る。１つの実施形態において、視覚的警告は、例えばフィットネス活動の経路の地図等のフィットネス活動についての情報を含み得、１つ以上のグラフィカルシンボル（図示記号）を含み得る。グラフィカルシンボルは、特定の位置情報を提供し得、参加者と見物人の相対的位置を示し得る。１つの実施形態において、グラフィカルシンボルは、経路に沿った参加者１００および見物人３００の位置を示す。１つの実施形態において、例えば、視覚的警告は、見物人３００が立っている正確な位置を提供し得る。このように、いくつかの実施形態において、視覚的警告は、フィットネス活動の所定の経路の詳細な地図（例えばグーグルの衛星地図）および地図に重ね合わせられた見物人の位置を含み得る。
【００４９】
参加者１００が経路を進み続けるにつれ、それに応じてグラフィカルシンボルが表示部においてリアルタイムに動き得る。１つの実施形態において、参加者１００および見物人３００の描写は、個体の写真またはアバターを含み得る。視覚的警告は、経路に沿ったランドマーク、例えばスタートライン、ゴール、マイルマーカー(mile markers)、給水所、または特別なイベントに特有のストリートおよびランドマーク（例えばニューヨークシティマラソンでのファーストアベニューおよびレキシントン）等のグラフィカルシンボルを含み得る。グラフィカルシンボルは、写真やアバターを含め、例えばサーバー１１２、フィットネスデータベース１１３、および／またはソーシャルネットワークデータベース１１４に記憶され得る。図９および１０に示すように、視覚的警告は、参加者１００（または見物人２００）が近づいていることを示すテキストを含み得る。例えば、テキストは、「見物人が３０秒のところに近づいている」、「見物人がマイルマーカー２０にいる」、「参加者が２００ｍのところに近づいている」、「見物人がファーストアベニューおよびレキシントンにおけるレースコースの東側にいる」、または「参加者がちょうどゴールを通過した」、と示し得る。１つの実施形態において、視覚的警告は、例えばフィットネス活動、あるいは参加者１００または見物人２００の位置に関連した１つ以上の広告を含み得る。
【００５０】
可聴式警告は、例えば装置のスピーカー１９、３０５またはヘッドホン（図示せず）を通じて、参加者１００および／または見物人３００に対して他方が近づいていることを可聴式に示し得る。１つの実施形態において、可聴式警告は、「見物人がマイルマーカー２０にいる」や「参加者が３０秒のところに近づいている」といった標準的なメッセージを含み得る。１つの実施形態において、可聴式警告は、カスタマイズされた、予め録音されたメッセージであって良い。例えば、見物人３００は、「頑張れジョン！１マイル先で会おう！」といったメッセージを予め録音しておくことができ、こうしたメッセージは、参加者に更なるモチベーションと励ましを与えることができる。警告は、装置１０２、３０２それぞれに、またはサーバー１１２に記憶され得る。
【００５１】
触覚的警告も、参加者１００および／または見物人３００に対し、他方が近づいていることを示し得る。例えば、見物人装置３０２の振動する要素は、参加者１００が２００ｍ、または特定の時間（例えば２０秒）以内のところにいる時に振動し得る。
【００５２】
１つの実施形態において、視覚的警告、可聴式警告および／または触覚的警告は、参加者１００および／または見物人３００に対し、他方の位置に関係なく所定の間隔、位置、距離または時間で送信され得る。例えば、可聴式メッセージが、レースの５マイルまたは３０分ごとに、あるいは、参加者または見物人が例えば特定のマイルマーカーまたはランドマークに着いた時に、参加者１００へ送信され得る。
【００５３】
ポータブルフィットネスモニタリング装置１０２が電話機能を備えていない(not phone enabled)いくつかの実施形態においては、該装置は、ネットワーク１１０を通じてＧＰＳデータを送信するように適合される。例えば、ポータブルフィットネスモニタリング装置１０２は、ネットワーク１１０を通じて送信する（例えばＧＳＭ（登録商標）モジュールを用いて）ように適合されたＧＰＳ機能を備えた時計を含み得る。いくつかの実施形態において、ポータブルフィットネスモニタリング装置１０２は、内臓式ＧＰＳ受信機１２を含まない場合もある。そのため、参加者のパフォーマンスデータは、複数のマット２０２の各々における装置によって受信されたタイムスタンプされた位置データにのみ基づいて決定され得る。例えば、フィットネス活動後、参加者は、複数のマット２０２からのタイムスタンプされた位置データをアップロードでき、参加者の位置、速さおよびペースが、所定の経路に沿って決定され得る。いくつかの実施形態において、見物人３００へ位置情報を提供するために、衛星２０からのＧＰＳ信号２２のみに基づいた位置データが使用され得、また、速さ、ペースおよび距離等の参加者のパフォーマンスデータを計算するために、位置ビーコンシステム２００のデータのみを使用して決定されたパフォーマンスデータが使用され得る。
【００５４】
いくつかの実施形態において、本明細書に記載の方法は、複数の参加者１００と共に使用されるように適合される。理解されるであろうが、サーバー１１２に送信されたデータは、そのデータがサーバー１１２上で適切に記憶され、および／または操作され得るように、各特定の参加者２００に特有の識別情報を含み得る。さらに、見物人３００は複数の参加者１００を追跡し得る。
【００５５】
特定の実施形態についての前述の説明は、発明の一般的性質を十分に明らかにするものであるので、他者は、当技術分野における技術の範囲内の知識を適用することにより、過度の実験無しで、本発明の一般的概念から逸脱せずに、このような特定の実施形態を容易に修正すること、および／または様々な用途向けに適合することが可能である。よって、このような適合および修正は、本明細書に示された教示および誘導に基づき、開示された実施形態の同等物の意味および範囲内にあることが意図される。本明細書に記載の専門用語や表現は、説明を目的とするものであって限定を目的とするものではないことが理解されるべきであり、本明細書の専門用語や表現は、当業者により教示および誘導に照らして解釈されるべきである。
【００５６】
本発明の範囲は、上述の例示的な実施形態のどれによっても限定されるべきではなく、以下の請求項およびその同等物によってのみ規定されるべきである。
【図１】
2013135849.tif 000003
【図２】
2013135849.tif 000004
【図３】
2013135849.tif 000005
【図４】
2013135849.tif 000006
【図５】
2013135849.tif 000007
【図６】
2013135849.tif 000008
【図７】
2013135849.tif 000009
【図８】
2013135849.tif 000010
【図９】
2013135849.tif 000011
【図１０】
2013135849.tif 000012
【図１１】
2013135849.tif 000013
【外国語明細書】
2013135849000001.pdf